(57)【要約】【課題】  簡単な回路構成で突入電流を防止することができる機器を提供する。【解決手段】  入力ＤＣ電力を制御に応じたデューティ比の交流電力に変換するデューティ制御回路１２＿１を備えたＤＣ／ＤＣコンバータ１２と、ＤＣ／ＤＣコンバータ１２からＤＣ電力の供給を受けて動作する負荷回路１００とを備えた機器において、  デューティ制御回路１２＿１に、スイッチ１３がオフからオンに変化するタイミング以降所定時間以内は、その所定時間経過後の最大デューティ比よりも低い最大デューティ比の交流電力への変換を制御部１４で指示する。【選択図】        図４
2005261019.tif 000002
【特許請求の範囲】
【請求項１】
入力ＤＣ電力を一旦交流電力に変換し所定の出力ＤＣ電力に変換して出力するＤＣ／ＤＣコンバータと、前記ＤＣ／ＤＣコンバータからＤＣ電力の供給を受けて動作する負荷回路とを備えた機器において、
前記ＤＣ／ＤＣコンバータが、入力ＤＣ電力を制御に応じたデューティ比の交流電力に変換する直流交流変換回路を備え、
前記ＤＣ／ＤＣコンバータから出力されたＤＣ電力の、前記負荷回路への供給をオンオフする電源スイッチと、
前記直流交流変換回路に、前記電源スイッチがオフからオンに変化するタイミング以降所定時間以内は、該所定時間経過後の最大デューティ比よりも低い最大デューティ比の交流電力への変換を指示する制御部とを備えたことを特徴とする機器。
【請求項２】
入力ＤＣ電力を一旦交流電力に変換し所定の出力ＤＣ電力に変換して出力するＤＣ／ＤＣコンバータと、前記ＤＣ／ＤＣコンバータからＤＣ電力の供給を受けて動作する負荷回路とを備えた機器において、
前記ＤＣ／ＤＣコンバータが、出力電流を制御に応じた最大出力電力以下の出力電流に制限する出力電流制限回路を備え、
前記ＤＣ／ＤＣコンバータから出力されたＤＣ電力の、前記負荷回路への供給をオンオフする電源スイッチと、
前記出力電流制限回路に、前記電源スイッチがオフからオンに変化するタイミング以降所定時間以内は、該所定時間経過後の最大出力電流よりも低い最大出力電流に制限させる制御部とを備えたことを特徴とする機器。
【発明の詳細な説明】
【技術分野】
【０００１】
本発明は、ＤＣ／ＤＣコンバータと、そのＤＣ／ＤＣコンバータからＤＣ電力の供給を受けて動作する負荷回路とを備えた機器に関する。
【背景技術】
【０００２】
入力ＤＣ電力を一旦交流電力に変換し所定の出力ＤＣ電力に変換して出力するＤＣ／ＤＣコンバータと、そのＤＣ／ＤＣコンバータからＤＣ電力の供給を受けて動作する負荷回路とを備えた機器の一つにデジタルカメラがある。このデジタルカメラでは、内蔵された電池からのＤＣ電力を、ＤＣ／ＤＣコンバータで一旦交流電力に変換して所定の出力ＤＣ電力に変換し、その出力ＤＣ電力を、内部回路に供給するということが行なわれている。
【０００３】
ここで、内蔵された電池の長寿命化を図るために、ＤＣ／ＤＣコンバータと内部回路との間にトランジスタスイッチ等のスイッチを設け、必要な回路部分のみにあらかじめ電力を供給しておき、操作に応じてその回路部分からの信号により上記スイッチをオフからオンに切り換えることにより、ＤＣ／ＤＣコンバータからの出力ＤＣ電力を上記回路部分以外の内部回路に供給するということが行なわれている。一般に、内部回路には、その内部回路に安定して電力を供給するために比較的大容量のコンデンサ素子が備えられており、上記スイッチがオフからオンに切り換えられると、そのコンデンサ素子には急激に電力が充電される。すると、ＤＣ／ＤＣコンバータに突入電流が流れて、そのＤＣ／ＤＣコンバータの出力が一時的に低下する。これを補うように、ＤＣ／ＤＣコンバータは、そのＤＣ／ＤＣコンバータを構成するＰＷＭ（Ｐｕｌｓｅ  Ｗｉｄｔｈ  Ｍｏｄｕｌａｔｉｏｎ）回路のデューティ比を高めて、出力電圧を急速に復帰させるように動作する。このとき、ＤＣ／ＤＣコンバータの入力電圧が一時的に低下する。
【０００４】
通常、ＤＣ／ＤＣコンバータの入力側の電圧は、電圧監視部により監視されており、電圧監視部は、入力側の電圧があらかじめ設定された電圧よりも低下すると、電源が異常であると判定する。すると、システムが停止するという問題が発生する。
【０００５】
ここで、突入電流を防止する技術がいくつか提案されている。例えば、電流制限された第１トランジスタと駆動能力の高い第２トランジスタを並列に接続し、電源スイッチがオンされた時点では第１,第２トランジスタをオン，オフにして、第１トランジスタで制限された電流を負荷側に流し、所定時間経過後、入力側と出力側との電圧の差分が所定値以下になると、第１，第２トランジスタをオフ，オンに切り換える技術が提案されている（特許文献１参照）。
【０００６】
また、制御用ＦＥＴの前段に設けられた平滑コンデンサに直列に挿入した抵抗により制御用ＦＥＴに流れる電流を制限して、その平滑コンデンサの放電電流により制御用ＦＥＴの破壊を防止する技術が提案されている（特許文献２参照）。
【０００７】
さらに、スイッチングトランジスタと制御回路の間にカレントリミット回路を設けて突入電流を抑制する技術が提案されている（特許文献３参照）。
【特許文献１】特開平１０−１３５８０６号公報
【特許文献２】特開平１０−１１７４３５号公報
【特許文献３】特開２０００−１６６２１８号公報
【発明の開示】
【発明が解決しようとする課題】
【０００８】
しかし、上述した特許文献１に提案された技術では、負荷側に電流を流すためのトランジスタを２つ備える必要があり、また入力側と出力側との電圧の差分を検出する回路も必要である。従って、回路構成が複雑であるという問題がある。
【０００９】
また、特許文献２に提案された技術では、平滑コンデンサの放電電流により制御用ＦＥＴの破壊を防止することはできるものの、出力側にスイッチを設けてオフからオンに切り換えて負荷側に電力を供給する構成を採用した場合、突入電流が流れるという問題が発生する。
【００１０】
さらに、特許文献３に提案された技術では、スイッチングトランジスタと制御回路の間にカレントリミット回路を設けるものであるため、回路構成が複雑であるという問題がある。
【００１１】
本発明は、上記事情に鑑み、簡単な回路構成で突入電流を防止することができる機器を提供することを目的とする。
【課題を解決するための手段】
【００１２】
上記目的を達成する本発明の機器のうちの第１の機器は、入力ＤＣ電力を一旦交流電力に変換し所定の出力ＤＣ電力に変換して出力するＤＣ／ＤＣコンバータと、上記ＤＣ／ＤＣコンバータからＤＣ電力の供給を受けて動作する負荷回路とを備えた機器において、
上記ＤＣ／ＤＣコンバータが、入力ＤＣ電力を制御に応じたデューティ比の交流電力に変換する直流交流変換回路を備え、
上記ＤＣ／ＤＣコンバータから出力されたＤＣ電力の、上記負荷回路への供給をオンオフする電源スイッチと、
上記直流交流変換回路に、上記電源スイッチがオフからオンに変化するタイミング以降所定時間以内は、その所定時間経過後の最大デューティ比よりも低い最大デューティ比の交流電力への変換を指示する制御部とを備えたことを特徴とする。
【００１３】
本発明の第１の機器は、ＤＣ／ＤＣコンバータに備えられた直流交流変換回路に対して、電源スイッチがオフからオンに変化するタイミング以降所定時間以内は、その所定時間経過後の最大デューティ比よりも低い最大デューティ比の交流電力への変換を制御部で指示するものであるため、電源スイッチがオフからオンに変化するタイミング以降所定時間以内は、ＤＣ／ＤＣコンバータからの出力ＤＣ電力が小さく抑えられる。従って、ＤＣ／ＤＣコンバータに突入電流が流れて、ＤＣ／ＤＣコンバータの入力電圧が一時的に低下し、電源が異常であると判定されてシステムが停止するという問題が解消される。一般に、ＤＣ／ＤＣコンバータには直流交流変換回路が備えられている場合が多く、本発明は、そのようなＤＣ／ＤＣコンバータに対して、上記変換指示を行なう構成であるため、後述する実施形態に示すように、簡単な回路構成で突入電流を防止することができる。
【００１４】
また、上記目的を達成する本発明の機器のうちの第２の機器は、入力ＤＣ電力を一旦交流電力に変換し所定の出力ＤＣ電力に変換して出力するＤＣ／ＤＣコンバータと、上記ＤＣ／ＤＣコンバータからＤＣ電力の供給を受けて動作する負荷回路とを備えた機器において、
上記ＤＣ／ＤＣコンバータが、出力電流を制御に応じた最大出力電力以下の出力電流に制限する出力電流制限回路を備え、
上記ＤＣ／ＤＣコンバータから出力されたＤＣ電力の、上記負荷回路への供給をオンオフする電源スイッチと、
上記出力電流制限回路に、上記電源スイッチがオフからオンに変化するタイミング以降所定時間以内は、その所定時間経過後の最大出力電流よりも低い最大出力電流に制限させる制御部とを備えたことを特徴とする。
【００１５】
本発明の第２の機器は、ＤＣ／ＤＣコンバータに備えられた出力電流制限回路に対して、電源スイッチがオフからオンに変化するタイミング以降所定時間以内は、その所定時間経過後の最大出力電流よりも低い最大出力電流に制御部で制限させるものであるため、電源スイッチがオフからオンに変化するタイミング以降所定時間以内は、ＤＣ／ＤＣコンバータからの出力ＤＣ電力が小さく抑えられる。従って、ＤＣ／ＤＣコンバータに突入電流が流れて、ＤＣ／ＤＣコンバータの入力電圧が一時的に低下し、電源が異常であると判定されてシステムが停止するという問題が解消される。一般に、ＤＣ／ＤＣコンバータには出力電流制限回路が備えられている場合が多く、本発明は、そのようなＤＣ／ＤＣコンバータに対して、上記制限を行なう構成であるため、後述する実施形態に示すように、簡単な回路構成で突入電流を防止することができる。
【発明の効果】
【００１６】
本発明の機器によれば、簡単な回路構成で、電源スイッチがオフからオンに変化するタイミング以降所定時間以内は、ＤＣ／ＤＣコンバータからの出力ＤＣ電力が小さく抑えられて突入電流を防止することができる。
【発明を実施するための最良の形態】
【００１７】
以下、本発明の実施形態について説明する。
【００１８】
図１は、本発明の第１の機器の一実施形態であるデジタルカメラを前面斜め上から見た外観斜視図である。
【００１９】
図１に示すデジタルカメラ１０の前面中央部には、光学ズームレンズである撮影レンズ１０＿１ａを内部に備えたズーム鏡胴１０＿１が備えられている。また、このデジタルカメラ１０の前面上部には、撮影に同期してフラッシュ光を発するフラッシュ発光装置１０＿２と、フラッシュ発光装置１０＿２からのフラッシュ光の光量を制御するためにそのフラッシュ光の光量を検出するフラッシュ調光センサ１０＿３と、光学式ファインダ対物窓１０＿４とが備えられている。
【００２０】
また、このデジタルカメラ１０の前面左側には、スライド式の電源スイッチ１０＿５と、このデジタルカメラ１０に内蔵されたバッテリを充電しているときに点灯したり画像データの伝送時やセルフタイマ作動時等に点滅したりするイルミネーションランプ１０＿６が備えられている。
【００２１】
さらに、このデジタルカメラ１０の上面には、シャッタボタン１０＿７および音声をピックアップするマイクロホン１０＿８が備えられている。
【００２２】
また、このデジタルカメラ１０の図１に示す右側面には、スピーカ１０＿９、撮影済みの画像データをパーソナルコンピュータなどに送信するときに使用されるＵＳＢケーブルが接続されるＵＳＢ端子１０＿１０、および外部電源端子１０＿１１が備えられている。
【００２３】
図２は、図１に示すデジタルカメラを背面斜め上から見た外観斜視図である。
【００２４】
図２に示すデジタルカメラ１０の背面上部には、光学式ファインダ接眼窓１０＿２２と、撮影準備完了等に点灯したり撮影中に点滅したりするファインダランプ１０＿２３と、静止画モード，再生モード，動画撮影モードを切り換えるモードスイッチ１０＿２４とが備えられている。また、モードスイッチ１０＿２４の右側には、マクロボタン１０＿２５と、ズームボタン１０＿２６と、フラッシュボタン１０＿２７とが備えられている。
【００２５】
マクロボタン１０＿２５は、マクロ撮影を行なうか否かを切り換えるボタンであり、一度押下するとマクロ撮影モードとなり、再度押下するとマクロ撮影モードが解除される。
【００２６】
ズームボタン１０＿２６は、上方に向けて押下することにより望遠側（テレ側）にズームアップするとともに下方に向けて押下することにより広角側（ワイド側）にズームダウンするボタンである。また、このズームボタン１０＿２６は、単に押下することにより、後述する液晶モニタ１０＿２８に表示される各種のメニューを選択するボタンである。
【００２７】
フラッシュボタン１０＿２７は、押下する毎に、オートフラッシュ→赤目低減フラッシュ→強制フラッシュ→フラッシュ禁止→スローシャッタでのフラッシュ→オートフラッシュというようにフラッシュの状態を繰り返し切り換えるためのボタンである。
【００２８】
また、デジタルカメラ１０の背面中央部には、液晶モニタ１０＿２８と、ＭＥＮＵ／ＯＫボタン１０＿２９と、ＢＡＣＫボタン１０＿３０と、ＤＩＳＰボタン１０＿３１と、フォトモードボタン１０＿３２とが備えられている。
【００２９】
液晶モニタ２８は、デジタルカメラ１０で被写体光を捉えて生成された画像データからなる画像や種々の設定時における情報等を表示する。
【００３０】
ＭＥＮＵ／ＯＫボタン１０＿２９は、撮影時や再生時における各種のメニューを表示したり、上記ズームボタン１０＿２６により選択されたメニューを決定するためのボタンである。
【００３１】
ＢＡＣＫボタン１０＿３０は、ＭＥＮＵ／ＯＫボタン１０＿２９等による操作状態を１つ前に戻したり取り消したりするためのボタンである。
【００３２】
ＤＩＳＰボタン１０＿３１は、液晶モニタ１０＿２８に表示された画面の状態を切り換えるためのボタンであり、例えば撮影時に液晶モニタ１０＿２８の表示をオン，オフしたり、再生時に文字表示をオン，オフしたりするためのボタンである。
【００３３】
フォトモードボタン１０＿３２は、ピクセル数，感度，色味，プリント枚数等を設定するためのボタンである。
【００３４】
さらに、デジタルカメラ１０の背面下部には、バッテリおよびメモリカードを収容する収容蓋１０＿３３が備えられている。また、このデジタルカメラ１０の側面部には、ストラップ取付部１０＿３４も備えられている
図３は、図１、図２に示すデジタルカメラの回路構成を示すブロック図である。
【００３５】
このデジタルカメラ１０には、前述した撮影レンズ１０＿１ａと、その撮影レンズ１０＿１ａを経由して結像された被写体像をアナログの画像信号に変換する撮像素子１０＿４１が備えられている。
【００３６】
また、このデジタルカメラ１０には、撮像素子１０＿４１からのアナログの画像信号をアナログ処理するアナログ信号処理部１０＿４２と、そのアナログ信号処理部１０＿４２で処理されたアナログの画像信号をデジタルの画像信号にＡ／Ｄ変換するＡ／Ｄコンバータ１０＿４３と、そのＡ／Ｄコンバータ１０＿４３からの画像信号をデジタル処理するデジタル信号処理部１０＿４４とが備えられている。
【００３７】
さらに、このデジタルカメラ１０には、上記デジタル信号処理部１０＿４４におけるデジタル処理に必要なプログラムデータが格納されたＲＯＭ１０＿４５と、そのデジタル信号処理部１０＿４４とのやり取りを行なうＣＰＵ１０＿４６と、露出制御用およびフォーカシング制御用の情報をＣＰＵ１０＿４６に向けて出力するＡＥ／ＡＦ部１０＿４７と、上述したズームボタン１０＿２６等からなる操作部１０＿４８と、前述したシャッタボタン１０＿１７とが備えられている。
【００３８】
また、このデジタルカメラ１０には、デジタル信号処理部１０＿４４からの画像データを格納するとともに格納された画像データをデジタル信号処理部１０＿４４に向けて出力するメモリ１０＿４９と、デジタル信号処理部１０＿４４からの画像データが格納されるメモリカード１０＿５０と、デジタル信号処理部１０＿４４からの画像データをパーソナルコンピュータ等に送信するためのＩ／Ｆ部１０＿５１と、前述した液晶モニタ１０＿２８とが備えられている。
【００３９】
さらに、このデジタルカメラ１０には、バッテリ１１と、ＤＣ／ＤＣコンバータ１２と、スイッチ１３（本発明にいう電源スイッチの一例に相当）と、制御部１４とが備えられている。以下、図４を参照して説明する。
【００４０】
図４は、図３に示すＤＣ／ＤＣコンバータ、スイッチ、および制御部の概略構成図である。
【００４１】
図４に示すＤＣ／ＤＣコンバータ１２は、バッテリ１１からの入力ＤＣ電力を一旦交流電力に変換し所定の出力ＤＣ電力に変換して出力する。このＤＣ／ＤＣコンバータ１２には、入力ＤＣ電力を制御に応じたデューティ比の交流電力に変換するためのデューティ制御回路１２＿１が備えられている。
【００４２】
負荷回路１００は、回路基板に実装された、比較的大容量のコンデンサ素子１０１および図３に示す回路を構成する多数の電気部品からなる電気回路１０２から構成されている。この負荷回路１００は、ＤＣ／ＤＣコンバータ１２からＤＣ電力の供給を受けて動作する。
【００４３】
スイッチ１３は、ＤＣ／ＤＣコンバータ１２から出力されたＤＣ電力の、負荷回路１００への供給を、制御部１４からの信号に応じてオン，オフするトランジスタスイッチである。
【００４４】
制御部１４は、デューティ制御回路１２＿１に、スイッチ１３がオフからオンに変化するタイミング以降所定時間以内は、その所定時間経過後の最大デューティ比よりも低い最大デューティ比の交流電力への変換を指示する。以下、図５を参照して説明する。
【００４５】
図５は、図４に示すＤＣ／ＤＣコンバータの詳細な構成を、スイッチおよび制御部とともに示した図である。
【００４６】
図５に示すＤＣ／ＤＣコンバータ１２には、バッテリ１１からのＤＣ電力が入力される入力端子１２ａ，１２ｂと、負荷回路１００に向けてＤＣ電力を出力するための出力端子１２ｃ，１２ｄと、制御部１４のポート端子ＰＡ２に接続された制御端子１２ｅとが備えられている。
【００４７】
また、ＤＣ／ＤＣコンバータ１２には、前述したデューティ制御回路１２＿１と、入力端子１２ａと出力端子１２ｃとの間に直列に接続されたインダクタ素子１２＿２およびダイオード素子１２＿３が備えられている。
【００４８】
さらに、ＤＣ／ＤＣコンバータ１２には、インダクタ素子１２＿２とダイオード素子１２＿３の接続点と入力端子１２ｂとの間に並列に接続されたＭＯＳＦＥＴ１２＿４およびダイオード素子１２＿５と、デューティ制御回路１２＿１とＭＯＳＦＥＴ１２＿４との間に接続された抵抗素子１２＿６が備えられている。
【００４９】
また、ＤＣ／ＤＣコンバータ１２には、制御端子１２ｅに正相入力（＋）側が接続された比較器１２＿７と、その比較器１２＿７の逆相入力（−）側に接続されて第１の基準電圧を出力する基準電源ＶＲＥＦ１２＿８が備えられている。比較器１２＿７の出力側は、デューティ制御回路１２＿１の第１の入力側に接続されている。
【００５０】
さらに、ＤＣ／ＤＣコンバータ１２には、出力端子１２ｃと出力端子１２ｄとの間に直列に接続された抵抗素子１２＿９，１２＿１０と、それら抵抗素子１２＿９，１２＿１０の接続点に正相入力（＋）側が接続された比較器１２＿１１と、その比較器１２＿１１の逆相入力（−）側に接続されて第２の基準電圧を出力する基準電源ＶＲＥＦ１２＿１２が備えられている。比較器１２＿１１の出力側は、デューティ制御回路１２＿１の第２の入力側に接続されている。尚、上記デューティ制御回路１２＿１，インダクタ素子１２＿２，ＭＯＳＦＥＴ１２＿４，ダイオード素子１２＿５，抵抗素子１２＿６から、本発明にいう直流交流変換回路の一例が構成されている。
【００５１】
スイッチ１３は、制御部１４のポート端子ＰＡ１から出力される第１の制御信号でオン，オフ制御される。
【００５２】
次に、これらＤＣ／ＤＣコンバータ、スイッチ、および制御部の動作について、図５および図６を参照して説明する。
【００５３】
図６は、図５に示すＤＣ／ＤＣコンバータ、スイッチ、および制御部の動作処理ルーチンのフローチャートである。
【００５４】
ステップＳ１では、ＤＣ／ＤＣコンバータ１２が起動する。尚、制御部１４のポート端子ＰＡ１，ＰＡ２から出力される第１，第２の制御信号は、ともに‘Ｌ’レベルにある。従って、スイッチ１３はオフ状態にある。また、比較器１２＿７の正相入力（＋）側は、‘Ｌ’レベルにあるため、比較器１２＿７からは‘Ｌ’レベルの信号が出力されている。この‘Ｌ’レベルの信号は、デューティ制御回路１２＿１の第１の入力側に入力されている。ここで、デューティ制御回路１２＿１の第１の入力側に‘Ｌ’レベルの信号が入力されている場合には、デューティ制御回路１２＿１の第２の入力側に入力されるレベルに応じてデューティ制御回路１２＿１のデューティ比が制御される。一方、デューティ制御回路１２＿１の第１の入力側に‘Ｈ’レベルの信号が入力された場合には、デューティ制御回路１２＿１の第２の入力側のレベルに拘らず、この‘Ｈ’レベルの信号が優先されて、後述するように低いデューティ比で動作するように制御される。
【００５５】
次に、ステップＳ２において、デューティ制御による電流制御が行なわれる。具体的には、ＤＣ／ＤＣコンバータ１２は、デューティ制御回路１２＿１からの所定のデューティ比のパルス信号でＭＯＳＦＥＴ１２＿４をスイッチング動作させることにより直流交流変換し、ダイオード素子１２＿３を経由してＤＣ電力を出力端子１２ｃから出力する。比較器１２＿１１は、抵抗素子１２＿９，１２＿１０双方の抵抗値により定まる電圧と、基準電源ＶＲＥＦ１２＿１２からの第１の基準電圧とを比較し、その比較結果をデューティ制御回路１２＿１の第２の入力側に入力する。デューティ制御回路１２＿１は、この比較結果に基づいて所定のＤＣ電力が出力するようにデューティ比を制御する。
【００５６】
次に、ステップＳ３において、所定の期間が経過したか否かが制御部１４で判定される。所定の期間が経過していないと判定された場合はステップＳ２に戻る。一方、所定の期間が経過していると判定された場合はステップＳ４に進む。
【００５７】
ステップＳ４では、所定の期間が経過しているため、ＤＣ／ＤＣコンバータ１２からの出力電圧は安定していることとなる。
【００５８】
次に、ステップＳ５において、制御部１４はスイッチ１３をオンする。具体的には、制御部１４は、ポート端子ＰＡ１から出力されている第１の制御信号を‘Ｌ’レベルから‘Ｈ’レベルに切り換える。すると、スイッチ１３がオンする。これにより、ＤＣ／ＤＣコンバータ１２から出力されるＤＣ電力が負荷回路１００へ供給される。
【００５９】
さらに、ステップＳ６において、制御部１４はＤＣ／ＤＣコンバータ１２の出力電流制御を行なう。具体的には、制御部１４は、ポート端子ＰＡ２から出力されている第２の制御信号を‘Ｌ’レベルから‘Ｈ’レベルに切り換える。この‘Ｈ’レベルの第２の制御信号は、比較器１２＿７の正相入力（＋）側に入力される。一方、比較器１２＿７の逆相入力（−）側には、この‘Ｈ’レベルよりも低いレベルの第１の基準電圧が基準電源ＶＲＥＦ１２＿８から入力されている。このため、比較器１２＿７からは‘Ｈ’レベルの信号が出力される。この‘Ｈ’レベルの信号は、デューティ制御回路１２＿１の第１の入力側に入力される。
【００６０】
すると、デューティ制御回路１２＿１は、上記所定時間経過後の最大デューティ比よりも低い最大デューティ比のパルス信号でＭＯＳＦＥＴ１２＿４をスイッチング動作させることにより直流交流変換し、ダイオード素子１２＿３を経由してＤＣ電力を出力端子１２ｃから出力する。このＤＣ電力は、スイッチ１３を経由して負荷回路１００に供給される。このようにして、ＤＣ／ＤＣコンバータ１２からの出力ＤＣ電力が小さく抑えられる。従って、負荷回路１００を構成するコンデンサ素子１０１を充電するためにＤＣ／ＤＣコンバータ１２に突入電流が流れて、ＤＣ／ＤＣコンバータ１２の入力電圧が一時的に低下し、電源が異常であると判定されてシステムが停止するという問題が解消される。
【００６１】
さらに、ステップＳ７において、所定期間経過したか否かが判定される。所定の期間が経過していないと判定された場合はステップＳ６に戻る。一方、所定の期間が経過していると判定された場合はステップＳ８に進む。
【００６２】
ステップＳ８では、ＤＣ／ＤＣコンバータ１２の出力電圧安定動作（通常動作開始）を行なう。具体的には、制御部１４は、ポート端子ＰＡ２から出力されている第２の制御信号を‘Ｈ’レベルから‘Ｌ’レベルに切り換える。これにより、比較器１２＿７から‘Ｌ’レベルの信号が出力され、この‘Ｌ’レベルの信号がデューティ制御回路１２＿１の第１の入力側に入力される。すると、デューティ制御回路１２＿１は、比較器１２＿１１によるデューティ比制御を行なってこのルーチンを終了する。
【００６３】
ここで、ＤＣ／ＤＣコンバータ１２には、通常のＤＣ／ＤＣコンバータに備えられている機能に、比較器１２＿７および基準電源ＶＲＥＦ１２＿８を追加するだけでよく、また制御部１４もポート端子ＰＡ１，ＰＡ２から上述した第１，第２の制御信号を出力する構成でよく、従って簡単な回路構成で突入電流を防止することができる。
【００６４】
次に、本発明の第２の機器の一実施形態であるデジタルカメラについて説明する。尚、このデジタルカメラの外観斜視図は、図１、図２に示すデジタルカメラの外観斜視図と同じであるので図示省略する。また、このデジタルカメラの回路構成は、図３に示すデジタルカメラの回路構成と比較し、ＤＣ／ＤＣコンバータおよび制御部が異なっている。
【００６５】
図７は、本発明の第２の機器の一実施形態であるデジタルカメラを構成するＤＣ／ＤＣコンバータ、スイッチ、および制御部の概略構成図である。
【００６６】
図７に示すＤＣ／ＤＣコンバータ１１２には、出力電流を制御に応じた最大出力電力以下の出力電流に制限する出力電流制限回路１１２＿１が備えられている。
【００６７】
制御部１１４は、出力電流制限回路１１２＿１に、スイッチ１３がオフからオンに変化するタイミング以降所定時間以内は、その所定時間経過後の最大出力電流よりも低い最大出力電流に制限させる。
【００６８】
図８は、図７に示すＤＣ／ＤＣコンバータの詳細な構成を、スイッチおよび制御部とともに示した図である。
【００６９】
図８に示すＤＣ／ＤＣコンバータ１１２には、バッテリ１１からのＤＣ電力が入力される入力端子１２ａ，１２ｂと、負荷回路１００に向けてＤＣ電力を出力するための出力端子１２ｃ，１２ｄと、制御部１１４のポート端子ＰＡ２から出力される第２の制御信号が入力される制御端子１２ｅとが備えられている。
【００７０】
また、ＤＣ／ＤＣコンバータ１１２には、前述したデューティ制御回路１２＿１，インダクタ素子１２＿２，ダイオード素子１２＿３，ＭＯＳＦＥＴ１２＿４，ダイオード素子１２＿５，抵抗素子１２＿６が備えられている。
【００７１】
さらに、ＤＣ／ＤＣコンバータ１１２には、出力電流制限回路１１２＿１が備えられている。この出力電流制限回路１１２＿１は、ダイオード素子１２＿３と出力端子１２ｃとの間に配備されたトランジスタ１１２＿１ａと、一端がトランジスタ１１２＿１ａのベースに接続された抵抗素子１１２＿１ｂと、出力ＯＵＴが抵抗素子１１２＿１ｂの他端に接続された出力電流制限部１１２＿１ｃと、出力端子１２ｃ，１２ｄ間に直列接続された抵抗素子１１２＿１ｄ，１１２＿１ｅとから構成されている。出力電流制限部１１２＿１ｃの第１の入力ＩＮ１は抵抗素子１１２＿１ｄ，１１２＿１ｅの接続点に接続されるとともに、第２の入力ＩＮ２は制御端子１２ｅに接続されている。
【００７２】
次に、これらＤＣ／ＤＣコンバータ、スイッチ、および制御部の動作について、図８および図９を参照して説明する。
【００７３】
図９は、図８に示すＤＣ／ＤＣコンバータ、スイッチ、および制御部の動作処理ルーチンのフローチャートである。
【００７４】
ステップＳ１１では、ＤＣ／ＤＣコンバータ１１２が起動する。尚、制御部１１４のポート端子ＰＡ１，ＰＡ２から出力される第１，第２の制御信号は、ともに‘Ｌ’レベルにある。従って、スイッチ１３はオフ状態にある。また、出力電流制限部１１２＿１ｃの第２の入力ＩＮ２は、‘Ｌ’レベルにある。ここで、第２の入力ＩＮ２に‘Ｌ’レベルの信号信号が入力されている場合には、第１の入力ＩＮ１に入力される電圧レベルに応じて出力電流制限部１１２＿１ｃの出力電流が制限される。一方、第２の入力ＩＮ２に‘Ｈ’レベルの信号が入力されている場合には、第１の入力ＩＮ１に入力される電圧レベルに拘わらず、後述するように低い出力電流に制限される。
【００７５】
次に、ステップＳ１２において、デューティ制御による電流制御が行なわれる。具体的には、ＤＣ／ＤＣコンバータ１１２は、デューティ制御回路１２＿１からの所定のデューティ比のパルス信号でＭＯＳＦＥＴ１２＿４をスイッチング動作させることにより直流交流変換し、ダイオード素子１２＿３を経由してＤＣ電力を出力端子１２ｃから出力する。      
【００７６】
出力電流制限部１１２＿１ｃは、第１の入力ＩＮ１に入力された、抵抗素子１１２＿１ｄ，１１２＿１ｅ双方の抵抗値により定まる電圧に応じた電圧を、出力ＯＵＴから出力することにより、所定のＤＣ電力が出力するようにトランジスタ１１２＿１ａに流れる電流を制限する。
【００７７】
次に、ステップＳ１３において、所定の期間が経過したか否かが制御部１１４で判定される。所定の期間が経過していないと判定された場合はステップＳ１２に戻る。一方、所定の期間が経過していると判定された場合はステップＳ１４に進む。
【００７８】
ステップＳ１４では、所定の期間が経過しているため、ＤＣ／ＤＣコンバータ１１２からの出力電圧は安定していることとなる。
【００７９】
次に、ステップＳ１５において、制御部１１４はスイッチ１３をオンする。具体的には、制御部１１４が、ポート端子ＰＡ１から出力されている第１の制御信号を‘Ｌ’レベルから‘Ｈ’レベルに切り換えてスイッチ１３をオンする。これにより、ＤＣ／ＤＣコンバータ１１２から出力されたＤＣ電力が負荷回路１００へ供給される。
【００８０】
さらに、ステップＳ１６において、制御部１１４はＤＣ／ＤＣコンバータ１１２の出力電流制限を行なう。詳細には、制御部１１４は、ポート端子ＰＡ２から出力されている第２の制御信号を‘Ｌ’レベルから‘Ｈ’レベルに切り換える。この第２の制御信号は、出力電流制限部１１２＿１ｃの第２の入力ＩＮ２に入力される。すると、出力電流制限部１１２＿１ｃは、第２の入力ＩＮ２に入力された第２の制御信号に応じた電圧を、出力ＯＵＴから出力することにより、所定のＤＣ電力が出力するようにトランジスタ１１２＿１ａに流れる電流を制限する。これにより、ＤＣ／ＤＣコンバータ１１２からの出力ＤＣ電力が小さく抑えられる。従って、負荷回路１００を構成するコンデンサ素子１０１を充電するためにＤＣ／ＤＣコンバータ１２に突入電流が流れて、ＤＣ／ＤＣコンバータ１１２の入力電圧が一時的に低下し、電源が異常であると判定されてシステムが停止するという問題が解消される。
【００８１】
さらに、ステップＳ１７において、所定期間経過したか否かが判定される。所定の期間が経過していないと判定された場合はステップＳ１６に戻る。一方、所定の期間が経過していると判定された場合はステップＳ１８に進む。
【００８２】
ステップＳ１８では、ＤＣ／ＤＣコンバータ１１２の出力電圧安定動作（通常動作開始）を行なう。具体的には、制御部１１４は、ポート端子ＰＡ２から出力されている第２の制御信号を‘Ｈ’レベルから‘Ｌ’レベルに切り換える。出力電流制限部１１２＿１ｃは、第１の入力ＩＮ１に入力された電圧に応じてトランジスタ１１２＿１ａに流れる電流を制限して、このルーチンを終了する。
【００８３】
このように、ＤＣ／ＤＣコンバータ１１２では、通常のＤＣ／ＤＣコンバータに備えられている出力電流制限回路の機能に、制御部１１４からの第２の制御信号を入力するための第２の入力ＩＮの機能を設ける構成でよく、また制御部１１４もポート端子ＰＡ１，ＰＡ２から上述した第１，第２の制御信号を出力する構成でよく、従って簡単な回路構成で突入電流を防止することができる。
【００８４】
尚、本実施形態では、本発明の機器としてデジタルカメラを例示して説明したが、本発明の機器はこれに限られるものではなく、例えば、近年普及しているカメラ機能付の携帯電話やＰＤＡ等の携帯型機器等であってもよい。
【図面の簡単な説明】
【００８５】
【図１】本発明の第１の機器の一実施形態であるデジタルカメラを前面斜め上から見た外観斜視図である。
【図２】図１に示すデジタルカメラを背面斜め上から見た外観斜視図である。
【図３】図１、図２に示すデジタルカメラの回路構成を示すブロック図である。
【図４】図３に示すＤＣ／ＤＣコンバータ、スイッチ、および制御部の概略構成図である。
【図５】図４に示すＤＣ／ＤＣコンバータの詳細な構成を、スイッチおよび制御部とともに示した図である。
【図６】図５に示すＤＣ／ＤＣコンバータ、スイッチ、および制御部の動作処理ルーチンのフローチャートである。
【図７】本発明の第２の機器の一実施形態であるデジタルカメラを構成するＤＣ／ＤＣコンバータ、スイッチ、および制御部の概略構成図である。
【図８】図７に示すＤＣ／ＤＣコンバータの詳細な構成を、スイッチおよび制御部とともに示した図である。
【図９】図８に示すＤＣ／ＤＣコンバータ、スイッチ、および制御部の動作処理ルーチンのフローチャートである。
【符号の説明】
【００８６】
１０  デジタルカメラ
１０＿１ａ  撮影レンズ
１０＿１  ズーム鏡胴
１０＿２  フラッシュ発光装置
１０＿３  フラッシュ調光センサ
１０＿４  光学式ファインダ対物窓
１０＿５  電源スイッチ
１０＿６  イルミネーションランプ
１０＿７  シャッタボタン
１０＿８  マイクロホン
１０＿９  スピーカ
１０＿１０  ＵＳＢ端子
１０＿１１  外部電源端子
１０＿２２  光学式ファインダ接眼窓
１０＿２３  ファインダランプ
１０＿２４  モードスイッチ
１０＿２５  マクロボタン
１０＿２６  ズームボタン
１０＿２７  フラッシュボタン
１０＿２８  液晶モニタ
１０＿２９  ＭＥＮＵ／ＯＫボタン
１０＿３０  ＢＡＣＫボタン
１０＿３１  ＤＩＳＰボタン
１０＿３２  フォトモードボタン
１０＿３３  収容蓋
１０＿３４  ストラップ取付部
１０＿４１  撮像素子
１０＿４２  アナログ信号処理部
１０＿４３  Ａ／Ｄコンバータ
１０＿４４デジタル信号処理部
１０＿４５  ＲＯＭ
１０＿４６  ＣＰＵ
１０＿４７  ＡＥ／ＡＦ部
１０＿４８  操作部
１０＿４９  メモリ
１０＿５０  メモリカード
１０＿５１  Ｉ／Ｆ部
１１  バッテリ
１２，１１２  ＤＣ／ＤＣコンバータ
１２ａ，１２ｂ  入力端子
１２ｃ，１２ｄ  出力端子
１２ｅ  制御端子
１２＿１  デューティ制御回路
１２＿２  インダクタ素子
１２＿３，１２＿５  ダイオード素子
１２＿４  ＭＯＳＦＥＴ
１２＿６，１２＿９，１２＿１０，１１２＿１ｂ，１１２＿１ｄ，１１２＿１ｅ  抵抗素子
１２＿７，１２＿１１  比較器
１２＿８，１２＿１２  基準電源ＶＲＥＦ
１３  スイッチ
１４，１１４  制御部
１００  負荷回路
１０１  コンデンサ素子
１０２  電気回路
１１２＿１  出力電流制限回路
１１２＿１ａ  トランジスタ
１１２＿１ｃ  出力電流制限部
【図１】
2005261019.tif 000003
【図２】
2005261019.tif 000004
【図３】
2005261019.tif 000005
【図４】
2005261019.tif 000006
【図５】
2005261019.tif 000007
【図６】
2005261019.tif 000008
【図７】
2005261019.tif 000009
【図８】
2005261019.tif 000010
【図９】
2005261019.tif 000011